(57)【要約】【課題】  絞りにおける光の損失を可及的に回避することができ、付加的に、断面において可及的に一様な光分布を有する照明光を生成することができる照明装置の提供。【解決手段】  光放射手段と、円形断面を有する照明光路と、光軸に配され光入射面及び光出射面を有する少なくとも１つの光屈折光学要素とを含んで構成される照明装置において、前記光屈折光学要素（５）は、前記光入射面（６）及び前記光出射面（７）のうちの少なくとも一方に、作動状態において前記照明光路（４）からのすべての光を三角形、四角形若しくは五角形以上の多角形、半円形又は三日月形等の非円形断面（１５）を有する後続照明光路（４’）へ射出可能に構成された自由形状面（１３）を有することを特徴とする。【選択図】  図４
2005353602.tif 000002
【特許請求の範囲】
【請求項１】
光放射手段と、円形断面を有する照明光路と、光軸に配され光入射面及び光出射面を有する少なくとも１つの光屈折光学要素とを含んで構成される照明装置であって、
前記光屈折光学要素（５）は、前記光入射面（６）及び前記光出射面（７）のうちの少なくとも一方に、作動状態において前記照明光路（４）からのすべての光を三角形、四角形若しくは五角形以上の多角形、半円形又は三日月形の断面（１５）を有する後続照明光路（４’）へ射出可能に構成された自由形状面（１３）を有すること
を特徴とする照明装置。
【請求項２】
前記光屈折光学要素（５）は、レンズ、プレート状光学要素又はプリズムとして構成されること
を特徴とする請求項１に記載の照明装置。
【請求項３】
前記光屈折光学要素（５）は、前記光入射面（６）にも前記光出射面（７）にも自由形状面（１３）を有すること
を特徴とする請求項１又は２に記載の照明装置。
【請求項４】
前記後続照明光路（４’）の前記断面（１５）がスリット状断面として構成されかつ照明装置がスリットランプとして作動可能であると共に、該スリット状断面を有する後続照明光路（４’）が、下流に配されたスリット絞り（９）の相応のスリット状開口（２０）にフォーカシング可能に構成されること、及び
前記スリット絞り（９）は、前記光軸（８）に沿って摺動可能に及び／又は前記光軸（８）の周りで回動可能に構成されること
を特徴とする請求項１〜３の何れか一項に記載の照明装置。
【請求項５】
前記光屈折光学要素（５）は、前記光軸（８）に沿って摺動可能に及び／又は前記光軸（８）の周りで回動可能に構成されること
を特徴とする請求項１〜４の何れか一項に記載の照明装置。
【請求項６】
前記光軸（８）には、前記光屈折光学要素（５）に、結像光学系（１０）が後置されること
を特徴とする請求項１〜５の何れか一項に記載の照明装置。
【請求項７】
前記光屈折光学要素（５）は、前記光放射手段（２）に直接配され、かつ該光放射手段（２）は、前記光軸（８）に沿って摺動可能に及び／又は前記光軸（８）の周りで回動可能に構成されること
を特徴とする請求項１〜６の何れか一項に記載の照明装置。
【請求項８】
前記光屈折光学要素（５）及び前記光放射手段（２）のガラス製ボディは、一体的に成形されること
を特徴とする請求項１〜７の何れか一項に記載の照明装置。
【請求項９】
前記後続照明光路（４’）は、顕微鏡（１６）の差込入射要素（１８）によって偏向され、作動状態において該顕微鏡（１６）の主対物レンズ（１７）を介して照明面（１１）を照明すること
を特徴とする請求項１〜８の何れか一項に記載の照明装置。
【請求項１０】
照明面（１１）に対する前記後続照明光路（４’）が顕微鏡（１６）の外部に延在し、照明装置が顕微鏡筐体（２１）に旋回可能に結合されること
を特徴とする請求項１〜８の何れか一項に記載の照明装置。
【請求項１１】
顕微鏡（１６）の作動状態において、自由形状面（１３）を有する前記光屈折光学要素（５）が必要に応じて切換可能に構成されることにより、必要に応じ、スリットランプ診断モード又は通常照明モードに切換可能であること
を特徴とする請求項９又は１０に記載の照明装置。
【請求項１２】
前記少なくとも１つの光屈折光学要素（５）は、５次又は６次以上の多項式で記述可能な自由形状面（１３）を有すること
を特徴とする請求項１〜１１の何れか一項に記載の照明装置。
【請求項１３】
請求項１〜１２の何れか一項に記載の照明装置を顕微鏡照明系の照明装置として有することを特徴とする顕微鏡。
【発明の詳細な説明】
【技術分野】
【０００１】
本発明は、所定の眼疾患の手術及び診断に使用されるスリットランプ（Spaltlampe）等の照明装置に関し、とりわけ光放射手段と、円形断面を有する照明光路と、光軸に配され光入射面及び光出射面を有する少なくとも１つの光屈折光学要素とを含んで構成される照明装置に関する。
【背景技術】
【０００２】
スリットランプは、前部眼球部分（水晶体及び近位硝子体）の観察及びコンタクトレンズの適合性検査に使用されるような装置である。スリット状の結像（光）は、診断又は手術プロセスの容易化に資する。スリットランプは、手術に際しては、網膜の範囲におけるコントラストを増大する照明として使用される。
【０００３】
そのようなスリットランプ自体はよく知られており、多くのメーカーによって製造され、医師によって日常的に使用されている。
【０００４】
光放射手段によってスリット絞りが直接又は光導体を介して照射されるよう構成されたスリットランプは、技術水準に属する。
【０００５】
例えば、光導体を有するスリットランプについて記載された文献が存在する（後掲特許文献１参照）。
【０００６】
この特許文献１には、目的面にスリット絞りを結像するためのスリットランプ照明装置であって、
・  光ファイバ製光導体が後置された好ましくは高強度の光源と、
・  中間に光学素子を配することなく小さい間隔をもって光導体出射面に後置されたスリット絞りと、
・  スリット絞りに後置されると共に、それぞれ収束的光学作用を有する少なくとも２つの光学系を有する結像装置と
を有する照明装置が記載されている。
【特許文献１】ＤＥ  ４２ ２７ ９４２  Ｃ２
【発明の開示】
【発明が解決しようとする課題】
【０００７】
上記の装置では、スリット絞りが、光導体出射面に直接的に（他の光学素子が介在することなく）後置されている。しかしながら、光導体出射面は円形の断面を有している。光導体から射出された光の一部がスリット絞りの面に形成されたスリットを照射する。このスリットは、結像光学系によって患者の眼に結像される。しかしながら、光の大部分は、機械的なスリット絞りに吸収され、熱に変換されるため、スリット像の患者眼への集中的な（収束的な）照明には寄与しない。
【０００８】
従って、この従来技術から、円形面（光導体の出射面）から矩形面（スリット絞りの入射面）への移行ないし変換により、光導体又はその他の任意の光放射手段からの利用可能な光の大部分が無駄に失われるという問題が生じる。
【０００９】
この問題は、認識されていないわけではないが、それから生じる欠点を克服するための方策は十分なものではない。例えば、光放射手段の出射面とスリット絞りとの間に、シリンドリカルレンズを組み込むようにすると、スリットは、最早円形断面光によっては照射されず、寧ろ楕円形ないしほぼスリット状の断面光によって相応に照射される。しかしながら、この措置は、一方では、光の喪失の阻止は取るに足らない程度であり、他方では、シリンドリカルレンズを使用するため、スリット内における光の分布が一様とはならない等の欠点がある。
【００１０】
本発明者は、（照明）光の使用可能な部分を大きくすることを試みる上記の方策の問題点を認識した。そこで、本発明者は、発明思想に基づき、スリット像等の絞り像の光をできるだけ効率的に利用するとともに、スリット絞り等の絞りでの使用可能な光の吸収を回避することを試みた。
【００１１】
それゆえ、本発明の課題は、上述の欠点を回避したスリットランプ等の照明装置、即ち絞りにおける光の損失が可及的に回避され、付加的に、断面において可及的に一様な光分布を有する照明光を生成するスリットランプ等の照明装置を提供することである。
【課題を解決するための手段】
【００１２】
上記の課題を解決するために、本発明の一視点により、光放射手段と、円形断面を有する照明光路と、光軸に配され光入射面及び光出射面を有する少なくとも１つの光屈折光学要素とを含んで構成される照明装置が提供される。この照明装置において、前記光屈折光学要素は、前記光入射面及び前記光出射面のうちの少なくとも一方に、作動状態において前記照明光路からのすべての光を三角形、四角形若しくは五角形以上の多角形、半円形又は三日月形等の（非円形）断面を有する後続照明光路へ射出可能に構成された自由形状面（自由曲面）を有することを特徴とする（形態１・基本構成）。
【発明の効果】
【００１３】
本発明の独立請求項１により、上記課題に対応した効果が上述のとおり達成される。即ち、本発明の照明装置は、絞りにおける光の損失を可及的に回避することができ、付加的に、断面において可及的に一様な光分布を有する照明光を生成することができる。
更に、各従属請求項により、付加的な効果が後述のとおりそれぞれ達成される。
【発明を実施するための最良の形態】
【００１４】
以下に、本発明の好ましい実施の形態を、上記基本構成を形態１として示すが、これらは従属請求項の対象でもある。
（１）  形態１（上掲）
（２）  上記形態１の照明装置において、前記光屈折光学要素は、レンズ、プレート状光学素子又はプリズムとして構成されることが好ましい（形態２）。
（３）  上記形態１又は２の照明装置において、前記光屈折光学要素は、前記光入射面にも前記光出射面にも自由形状面を有することが好ましい（形態３）。
（４）  上記形態１〜３の照明装置において、前記後続照明光路の前記（非円形）断面がスリット状断面として構成されかつ照明装置がスリットランプとして作動可能であると共に、該スリット状断面を有する後続照明光路が、下流に配されたスリット絞りの相応のスリット状開口にフォーカシング可能に構成されること、及び前記スリット絞りは、前記光軸に沿って摺動可能に及び／又は前記光軸の周りで回動可能に構成されることが好ましい（形態４）。
（５）  上記形態１〜４の照明装置において、前記光屈折光学要素は、前記光軸に沿って摺動可能に及び／又は前記光軸の周りで回動可能に構成されることが好ましい（形態５）。
（６）  上記形態１〜５の照明装置において、前記光軸には、前記光屈折光学要素に、結像光学系が後置されることが好ましい（形態６）。
（７）  上記形態１〜６の照明装置において、前記光屈折光学要素は、前記光放射手段に直接配され、かつ該光放射手段は、前記光軸に沿って摺動可能に及び／又は前記光軸の周りで回動可能に構成されることが好ましい（形態７）。
（８）  上記形態１〜７の照明装置において、前記光屈折光学要素及び前記光放射手段のガラス製ボディは、一体的に成形されることが好ましい（形態８）。
（９）  上記形態１〜８の照明装置において、前記後続照明光路は、顕微鏡の差込入射要素によって偏向され、作動状態において該顕微鏡の主対物レンズを介して照明面を照明することが好ましい（形態９）。
（１０）  上記形態１〜８の照明装置において、照明面に対する前記後続照明光路が顕微鏡の外部に延在し、照明装置が顕微鏡筐体に旋回可能に結合されることが好ましい（形態１０）。
（１１）  上記形態９又は１０の照明装置において、顕微鏡の作動状態において、自由形状面を有する前記光屈折光学要素が必要に応じて切換可能に構成されることにより、必要に応じ、スリットランプ診断モード又は通常照明モードに切換可能であることが好ましい（形態１１）。
（１２）  上記形態１〜１１の照明装置において、前記少なくとも１つの光屈折光学要素は、５次又は６次以上の多項式で記述可能な自由形状面を有することが好ましい（形態１２）。
（１３）  上記形態１〜１２の照明装置を顕微鏡照明系の照明装置として有することを特徴とする顕微鏡。
（１４）  ５次又は６次以上の多項式で記述可能な自由形状面を有する少なくとも１つの光屈折光学要素の、とりわけスリットランプ及び顕微鏡照明系等の照明装置の照明光路（複数）への使用。
（１５）  対物レンズを介した照明が可能となるよう固定的又は分離可能に結合した上記形態１〜８の照明装置を有する顕微鏡。
（１６）  外部からの直接的斜入射照明が可能となるよう旋回可能に結合した上記形態１〜８の照明装置を有する顕微鏡。
（１７）  上記照明装置の自由形状面（自由曲面）は、５次又は６次以上の多項式で規定することができる。
【００１５】
本発明によれば、光放射手段（ハロゲンランプ、ＬＥＤ、光導体出射面等）に後置されかつ特殊な性質を有する自由形状面ないし自由曲面（非等方的ないし異方的に（anisotrop）湾曲した面）が使用される。自由形状面レンズとは、本発明の意義においては、「その形状ないし構造によって、目標に方向付けられた光の案内を可能とする光学要素」と理解されるべきである。それは、とりわけ、入射する光ビームを、球面レンズによる結像からの方向には相応しない所望の方向へ更に導くことを可能とする特別に構成された表面（三次元）構造を有するレンズと理解されるべきである。
【００１６】
自由形状面（Freiformflaeche）は、非球面に相応する第１近似としての球面からの回転対称的なずれだけではなく、レンズ表面の個々の微小面要素（Flaechenpunkt）に関する曲率半径の任意の変化によっても構成することができる。従来の結像システムでは、結像レンズは、照明光路の光線束に円形の断面を与えていたが、本発明の新規な自由形状面を有する相応のレンズにより、任意の断面形状を有する照明光線束が生成可能とされる。このため、例えば、円形断面の光線束を矩形断面の光線束に変換することができる。所望の断面形状への変換は、自由形状面レンズの出射面において直ちに惹起されるのではない。光線束は、レンズから射出されてからはじめて（断面）形状変化するのである。
【００１７】
自由形状面を有する光学要素は、レンズとして構成するのが都合がよいが、プレート（状光学素子）又はプリズムとして構成することも可能である。これらの光学要素は全て、本発明によれば、光線束の円形断面を全体として（まるごと）受容する（受光する）という点において共通する。この断面全体の受容は、レンズ又はプレートの場合、光入射面（受光面）を相応に円形に構成することにより、空間節約的な態様で実現することができる。
【００１８】
技術水準から既知の方策は、矩形絞り又はシリンドリカルレンズによって、本来断面が円形であった光線束の断面全体からその一部をカットないし枠外に排除することにより、断面が矩形の光線束を生成する。
【００１９】
このため、上記の既知の方策では、本来存在していた光の大部分は使用されないこととなる。これに対し、本発明の自由形状面レンズの場合、常に、断面が円形の光線束の（断面）全体が受容ないし使用される。これは、（プレート又はプリズムに関して典型的な）矩形の光入射面又は空間節約的な円形の光入射面によって行うことができる。
【００２０】
このようなレンズの表面構造（Oberflaechentopographie）を描く自由形状面は、高次の（５次又は６次以上の）多項式によって記述することができる。
【００２１】
上述のスリットランプ（等の照明装置）の本発明による一形態では、自由形状面レンズ（等の光屈折光学要素）に加えて、一般的なスリット絞りを有することができる。尤も、このようなスリット絞りは省略することは可能である。このため、スリット絞りは、照明光線束の円形断面をスリットの形状である矩形断面に成形する機能は最早もたないので、大きな光損失も生じることはない。従って、スリット絞りは、自由形状面レンズによって既に生成された矩形断面のコントラスト調整と周辺部が鮮明な結像とに寄与するに過ぎない。
【００２２】
この技術思想を展開することにより、本発明のスリットランプ（等の照明装置）の更なる一実施形態では、相応に修正された自由形状面によって、スリット絞りをそもそも使用しないで済ますことができる。この場合、レンズの自由形状面の表面構造は、患者眼等の対象物において光線束の断面が周辺部においても鮮明な矩形ないしスリット状に結像可能なように構成される必要がある。患者眼等の対象物における光線束の断面のスリット状ないし矩形の結像は、専らレンズの自由形状面の表面構造に起因する。
【００２３】
自由形状面レンズは、選択的に、光入射側、光出射側、又は両側（光入射側及び光出射側）に自由形状面を有することができる。
【００２４】
本発明の一実施形態によれば、自由形状面レンズは、場合によってはスリット絞りも、照明光路の光軸に沿って摺動可能に構成される。
【００２５】
本発明の更なる一実施形態では、可及的に多様な使用可能性及び種々の条件に対する適合化が実現される。このため、矩形状光線束断面を生成する自由形状面レンズは、（スリットランプの光軸の周りで）回動可能に及び／又はスリットランプの光軸に沿って摺動可能に構成される。このため、この回動によって、必要に応じ、垂直に（縦に）延在する「光スリット」も、水平に（横に）又は斜めに延在する「光スリット」も生成することができる。光軸に沿った摺動によって、必要に応じ、任意的に後置される（下流に配される）結像光学系に対するフォーカシングを改善することができる。このため、任意的に設けられるスリット絞りの矩形開口に対し、光線束の矩形断面を可及的に正確に適合させることができるので、より大きなコントラストを有する周辺部結像を達成することもできる。なお、付加的に、スリット絞りも（光軸に沿って）摺動可能なように構成することも可能である。
【００２６】
本発明のスリットランプ等の照明装置に対しては、既存の光放射（発光）手段を全て考慮に入れるべきである。そのような光放射手段としては、例えば、一般的な白熱電球、光導体又はＬＥＤ等が該当する。自由形状面レンズは、光放射手段の直近に又は一定の間隔をおいて配置することができる。光放射手段と自由形状面との間には、光収束（ないし集光）光学要素を配することができる。光収束光学要素の代わりに又はこれと組合せて凹面鏡を使用することにより、光放射手段から放射された光の収束を行うことも可能である。
【００２７】
本発明の更なる一実施形態では、自由形状面レンズは、光放射手段のガラス製ボディに直接配される。更に、自由形状面レンズ等の光屈折手段と光放射手段のガラス製ボディとを一体的に成形することもできる。この場合、照明光路のフォーカシングを改善するために、光放射手段自体を摺動及び／又は回動可能に構成することもできる。
【００２８】
上述の（スリットランプ等の）照明手段は、本発明よれば、２つの態様で顕微鏡と組合せることができる。一方は、断面が変形された照明光路が、光学的差込入射要素によって顕微鏡内に入射され、更に対物レンズを介して案内され患者眼等の対象物に導かれるように構成されたものであり、他方は、断面が変形された照明光路が、顕微鏡の外部からの斜入射照明として直接患者眼等の対象物に導かれるように構成されたものである。後者の組合せ形態では、（スリット）照明が、必要に応じ、（照射野から）旋回的に離脱可能に構成されるかスイッチオフ可能に構成されると都合がよい。更なる一変形形態では、顕微鏡外斜入射照明のための旋回装置は、顕微鏡のステレオベースに沿って平行に延在する円弧に沿って旋回可能であるように構成される。この旋回運動により、例えば、患者眼に対する種々の入射角度での（スリット）照明が可能となり、例えば、患者眼の透明媒体内の混濁の診断可能性が保証される。なお、この旋回装置の顕微鏡に対する旋回可能性としては、顕微鏡対物レンズの光軸を１つの軸とした、空間直交座標系の各軸に相応する軸周りでの旋回、又はこれらの旋回の任意の組合せ等があり得る。
【００２９】
本発明のスリット照明装置がとりわけ手術顕微鏡等の顕微鏡と組み合わされる場合、照明装置は、必要に応じ任意的に切換可能なように構成される。尤も、顕微鏡の従来の照明を別個に設けることを不要とするために、本発明のスリット照明装置は、自由形状面によって光スリットを生成する光学要素が（挿脱）切換可能に構成される。例えば、この照明光断面形状変換光学要素が照明光路に配されている場合は、観察者は、診断目的のために、患者眼に光スリットのみを視認することができ、当該光学要素が照明光路に配されていない場合は、観察者は、（従来のないし通常の）完全な（円形の）断面の顕微鏡照明を利用して観察することができる。
【００３０】
以下に、本発明の実施例を図面を用いて詳細に説明する。なお、以下の実施例は、発明の理解の容易化のためのものであり、本発明の技術的思想を逸脱しない範囲において当業者により実施可能な付加・置換等の適用を排除することは意図しない。また、特許請求の範囲に付した図面参照符号も発明の理解の容易化のためであり、本発明を図示の態様に限定することは意図しない。これらの点に関しては、補正・訂正後においても同様である。
【００３１】
以下の各図は、互いに関連して記載されている。従って、同じ図面参照符号は同じ構造要素を意味し、異なる添え字を有する図面参照符号は、同じ又は類似の機能を有する構造要素を意味する。
【実施例】
【００３２】
図１は、技術水準に応じスリットランプとして使用される照明装置１の縦断面図である。この照明装置１では、光放射手段２は、光軸８に沿って延在する結像光路３及び照明光路４を生成する。これらの２つの光路３及び４は、光入射面６及び光出射面７を有する光学要素（通常は集光レンズ）５に入射する。光学要素５は、照明光路４を、スリット状の開口２０を有するスリット絞り９に（収束的に）照射する。このため、開口２０に相応する照明光路４の光線束しかスリット絞り９を通過することができない。そのため、後続照明光路４’は、照明光路４の実際に使用される部分４ｃと、この切り口（開口）の形状に応じた、スリット絞り９によって吸収され熱に変換される２つの不使用部分４ａ及び４ｂとから構成される。次いで、このように遮断されずに残ったスリット状の光ビームは、結像光学系１０を介して照明面１１に結像される。この照明面は、照明装置がスリットランプとして使用される場合は、通常、患者の眼に相当する。この従来のスリットランプ技術は、光の利用効率が悪く、大きな熱の発生も伴う。
【００３３】
図２は、本発明の光屈折光学要素５の一例としての、自由形状面（自由曲面）１３を有する自由形状面（自由曲面）レンズ１２の一例を示す。この自由形状面１３は、球面から外れた不均一な（一様でない）面として記載されている。なお、図３〜図８に示した実施例においても、同様に、本発明の光屈折光学要素５は、自由形状面レンズ１２として構成されている。
【００３４】
図３（ａ）は、光放射手段２からの照明光路４を受容する自由形状面１３を有する自由形状面レンズ１２の作動態様を示す。光入射面６は、従来のものと同様に球面形状を有し、光出射面７は、自由形状面１３として構成されている。照明光路４は、円形断面１４（図３（ａ）の矢視Ａ−Ａ断面を示す図３（ｂ）参照）を有し、後続照明光路４’は、矩形ないしスリット状断面１５（図３（ａ）の矢視Ｂ−Ｂ断面を示す図３（ｃ）参照）を有する。
【００３５】
図４は、光出射面７が自由形状面１３として構成された自由形状面レンズ１２を用いた本発明の照明装置ないしスリットランプ１の一例を示す。後続照明光路４’は自由形状面レンズ１２の作用により既にスリット状断面を有しているので、スリット絞り９は、この意味において使用する必要はないのであるが、スリット状光ビームの輪郭形成をより良くするために設けられている。
【００３６】
図５は、光入射面６も光出射面７も自由形状面１３として構成された自由形状面レンズ１２を有する本発明の照明装置１の更なる一例を示す。更に、自由形状面レンズ１２もスリット絞り９も光軸８に沿って摺動可能に構成され、光軸８の周りで回動可能に構成されている。このため、患者眼等の照明面１１に結像される光スリットの輪郭、位置及び光強度を調整することができる。
【００３７】
図６は、新たに提案された本発明の照明装置ないしスリットランプ１’と顕微鏡１６との本発明に応じた組合せの一例を示す。スリットランプ１’は、スリット状光ビームが差込入射要素１８によって偏向され主対物レンズ１７を介して照明面ないし患者眼１１を照射するよう顕微鏡１６に配設されている。差込入射要素１８は、後続照明光路４’が、顕微鏡１６の光軸２４を囲んで位置する顕微鏡１６の視野中心を照射するよう位置（ないし反射面の指向方向）調整することができる。更に、この実施例の照明装置は、スリット絞り９を摺動又は旋回可能としかつ自由形状面レンズ１２を摺動又は旋回によって従来のものと同様の形状・機能を有する交換レンズ２５と切換可能とするよう構成された切換装置２６を有する。このため、照明装置１’は、選択的に、従来の顕微鏡照明として又はスリットランプとして作動することができる。
【００３８】
図７は、旋回装置２３によって、必要に応じ、旋回的に挿脱可能に構成された照明装置ないしスリットランプ１の一例を示す。旋回装置２３は、図示の実施例では、異なる２つの旋回方向での旋回運動を可能とする。第１の旋回運動は、可動連結装置２８の周りで（図７の紙面の法線を旋回軸として）行われ、スリット照明のオンオフ切換に寄与する。第２の旋回運動は、顕微鏡１６のステレオベースに平行な旋回軸２７の周りで実行される。旋回軸２７周りでの旋回運動は、診断目的のために重要であり、そのような照明態様自体は当業者には既知である。
【００３９】
図８は、自由形状面レンズ１２が直接配されて（密接ないし接触して）構成された（一体化されて構成された）光放射手段２の一例を示す。更には、これら光放射手段２と自由形状面レンズ１２は一体的に成形することも可能である。凹面鏡１９は、図示左方（光放射手段２の自由形状面レンズ１２が配されている側と反対側）に向かって放射される光の一部を再び自由形状面レンズ１２に供給可能としている。
【図面の簡単な説明】
【００４０】
【図１】技術水準によるスリットランプの一例。
【図２】自由形状面を有するレンズの一例。
【図３】（ａ）  自由形状面を有するレンズの作動態様の一例。  （ｂ）  照明光路の一例（円形断面）。  （ｃ）  後続照明光路の一例（矩形断面）。
【図４】スリット絞りと結像光学系を有するスリットランプとして構成された本発明の照明装置の一例。
【図５】スリットランプとして構成された本発明の照明装置の他の一例。
【図６】スリット状後続照明光路を有するスリットランプとして又は従来のないし通常の照明光路を有する照明として選択的に作動するよう構成された本発明の照明装置の一例と固定的に結合された本発明の顕微鏡の一例。
【図７】本発明の照明装置の一例が外部からの斜入射照明が可能なように種々の態様で旋回可能に結合された本発明の顕微鏡の一例。
【図８】自由形状面レンズの一例を有する光放射（発光）手段の一例。
【符号の説明】
【００４１】
１  スリットランプ等の照明装置
２  光放射手段
３  結像光路
４  照明光路
４’後続照明光路
５  集光レンズ等の光屈折光学要素
６  光入射面
７  光出射面
８  照明光路の光軸
９  スリット絞り
１０  結像光学系
１１  照明面（患者眼等の観察対象）
１２  自由形状面（自由曲面）レンズ
１３  自由形状面（自由曲面）
１４  照明光路４の円形断面
１５  後続照明光路４’の矩形ないしスリット状断面
１６  顕微鏡
１７  主対物レンズ
１８  差込入射要素
１９  凹面鏡
２０  開口
２２  観察者の眼
２３  旋回装置
２４  顕微鏡１６の光軸
２５  交換レンズ
２６  切換装置
２７  旋回軸
２８  可動連結装置
【図１】
2005353602.tif 000003
【図２】
2005353602.tif 000004
【図３】
2005353602.tif 000005
【図４】
2005353602.tif 000006
【図５】
2005353602.tif 000007
【図６】
2005353602.tif 000008
【図７】
2005353602.tif 000009
【図８】
2005353602.tif 000010